(57)【要約】【課題】電力測定作業の効率化が図れるハンディ電力計などを提供する。【解決手段】ハンディ電力計１０は、クランプ形変流器１２から入力される電流をサンプリングして電流データを生成する電流サンプリング部２１と、第１乃至第３のクリップ１３1〜１３3から入力される電源線１のＲ相電圧、Ｓ相電圧およびＴ相電圧をサンプリングしてこれらの電圧データを生成する電圧サンプリング部２２と、電圧サンプリング部２２から入力されるＲ相電圧データの零点を基準点として定め、この基準点から２サイクル分の電流データおよび電力算出に必要な電圧データを取り出し、取り出した電流データおよび電圧データから電流測定データおよび電圧測定データをそれぞれ生成する測定データ生成部２３と、測定データ生成部２３によって生成された電流測定データおよび電圧測定データに基づいて電源線１の電力を算出する電力算出部２５とを具備する。【選択図】図１
2009008580.tif 000002
【特許請求の範囲】
【請求項１】
３相の電源線（１）の各相に流れる電流を１相ずつ検出するためのクランプ形変流器（１２；３２）と、
前記電源線の所定の１相の電圧の零点を基準点として定め、該定めた基準点から所定サイクル分の前記クランプ形変流器によって検出された電流および前記電源線の電力算出に必要な相の電圧を取り出して、該取り出した電流および電圧に基づいて前記電源線の電力を算出する電力算出手段と、
を具備することを特徴とする、ハンディ電力計。
【請求項２】
前記電力算出手段によって算出された電力を表示するための表示手段（２６；３６）をさらに具備することを特徴とする、請求項１記載のハンディ電力計。
【請求項３】
筐体（１１）に設けられた第１乃至第３の端子（１５1〜１５3）と第１乃至第３のリード線（１４1〜１４3）を介してそれぞれ接続された第１乃至第３のクリップ（１３1〜１３3）をさらに具備し、
前記クランプ形変流器（１２）が前記筐体の上面に設けられており、
前記電力算出手段が、
前記クランプ形変流器から入力される電流をサンプリングして電流データを生成する電流サンプリング部（２１）と、
前記第１乃至第３のクリップから入力される前記電源線の第１乃至第３の電圧をサンプリングして第１乃至第３の電圧データを生成する電圧サンプリング部（２２）と、
該電圧サンプリング部から入力される前記第１の電圧データの零点を基準点として定め、該定めた基準点から前記所定サイクル分の前記電流データおよび前記第１乃至第３の電圧データのうち電力算出に必要な電圧データを取り出し、該取り出した電流データおよび電圧データから電流測定データおよび電圧測定データをそれぞれ生成する測定データ生成部（２３）と、
該測定データ生成部によって生成された前記電流測定データおよび前記電圧測定データに基づいて前記電源線の電力を算出する電力算出部（２５）とを備える、
ことを特徴とする、請求項１または２記載のハンディ電力計。
【請求項４】
前記クランプ形変流器（３２）が筐体（３１）の上面に設けられており、
前記電力算出手段が、
電圧計から送信されてくるかつ前記電源線の第１乃至第３の相の電圧をサンプリングパルスでサンプリングして生成された第１乃至第３の電圧データおよび該サンプリングパルスに同期した同期信号を受信する受信部（４２）と、
該受信部から入力される前記同期信号に同期した他のサンプリングパルスで前記クランプ形変流器から入力される電流をサンプリングして電流データを生成する電流サンプリング部（４１）と、
前記受信部から入力される前記第１の電圧データの零点を基準点として定め、該定めた基準点から前記所定サイクル分の前記電流データおよび前記第１乃至第３の電圧データのうち電力算出に必要な電圧データを取り出して、該取り出した電流データおよび電圧データから電流測定データおよび電圧測定データをそれぞれ生成する測定データ生成部（４３）と、
該測定データ生成部によって生成された前記電流測定データおよび前記電圧測定データに基づいて前記電源線の電力を算出する電力算出部（４５）とを備える、
ことを特徴とする、請求項１または２記載のハンディ電力計。
【請求項５】
前記電力算出部が、前記測定データ生成部によって生成された前記電流測定データに基づいて、前記電源線に流れる電流の高調波成分をさらに算出することを特徴とする、請求項３または４記載のハンディ電力計。
【請求項６】
３相の電源線（１）の各相に流れる電流を１相ずつ検出するためのクランプ形変流器を具備するハンディ電力計を用いて該電源線の電力を算出する３相電力測定方法であって、
前記クランプ形変流器で前記電源線の第１の相をクランプするステップと、
前記ハンディ電力計が、前記電源線の所定の１相の電圧の零点を基準点として定め、該定めた基準点から所定サイクル分の前記クランプ形変流器によって検出された前記電源線の前記第１の相の電流および該電源線の３相の電圧のうち電力算出に必要な電圧を取り出し、該取り出した電流および電圧から電流測定データおよび電圧測定データをそれぞれ生成し、該生成した電流測定データおよび電圧測定データをメモリに記録するステップと、
前記クランプ形変流器を前記電源線の前記第１の相から外して該電源線の第２の相をクランプするステップと、
前記ハンディ電力計が、前記基準点から前記所定サイクル分の前記クランプ形変流器によって検出された前記電源線の前記第２の相の電流および該電源線の３相の電圧のうち電力算出に必要な電圧を取り出し、該取り出した電流および電圧から他の電流測定データおよび他の電圧測定データをそれぞれ生成し、該生成した他の電流測定データおよび他の電圧測定データを前記メモリに記録するステップと、
前記ハンディ電力計が、前記メモリに記録した前記電流測定データ、前記他の電流測定データ、前記電圧測定データ、前記他の電圧測定データに基づいて前記電源線の電力を算出するステップと、
を具備することを特徴とする、３相電力測定方法。
【請求項７】
請求項３記載のハンディ電力計（１０）を用いて３相の電源線（１）の電力を算出する３相電力測定方法であって、
前記第１乃至第３のクリップ（１３1〜１３3）で前記電源線の第１乃至第３の相の露出部分をそれぞれ挟むとともに、前記クランプ形変流器（１２）で該電源線の前記第１の相をクランプするステップ（Ｓ１１）と、
前記電流サンプリング部（２１）が、前記クランプ形変流器から入力される前記電源線の前記第１の相の電流をサンプリングして第１の電流データを生成するとともに、前記電圧サンプリング部（２２）が、前記第１乃至第３のクリップから入力される前記電源線の第１乃至第３の相の電圧をサンプリングして第１乃至第３の電圧データを生成するステップと、
前記測定データ生成部が、前記電圧サンプリング部から入力される前記第１の電圧データの零点を基準点として定め、該定めた基準点から所定サイクル分の前記第１の電流データおよび前記第１乃至第３の電圧データのうちの電力算出に必要な相の電圧データを取り出し、該取り出した第１の電流データおよび電圧データから電流測定データおよび電圧測定データをそれぞれ生成し、該生成した電流測定データおよび電圧測定データをメモリ（２４）に記録するステップ（Ｓ１２）と、
前記クランプ形変流器を前記電源線の前記第１の相から外して該電源線の第２の相をクランプするステップ（Ｓ１３）と、
前記電流サンプリング部が、前記クランプ形変流器から入力される前記電源線の前記第２の相の電流をサンプリングして第２の電流データを生成するとともに、前記電圧サンプリング部が、前記第１乃至第３のクリップから入力される前記電源線の第１乃至第３の相の電圧をサンプリングして第１乃至第３の他の電圧データを生成するステップと、
前記測定データ生成部が、前記電圧サンプリング部から入力される前記第１の他の電圧データの零点を基準点として定め、該定めた基準点から前記所定サイクル分の前記第２の電流データおよび前記第１乃至第３の他の電圧データのうちの電力算出に必要な相の他の電圧データを前記電圧サンプリング部から取り出し、該取り出した第２の電流データおよび他の電圧データから他の電流測定データおよび他の電圧測定データをそれぞれ生成し、該生成した他の電流測定データおよび他の電圧測定データを前記メモリに記録するステップ（Ｓ１４）と、
電力算出部（２５）が、前記メモリに記録した前記電流測定データ、前記他の電流測定データ、前記電圧測定データ、前記他の電圧測定データに基づいて前記電源線の電力を算出するステップ（Ｓ１５）と、
を具備することを特徴とする、３相電力測定方法。
【請求項８】
前記クランプ形変流器を前記電源線の前記第２の相から外して該電源線の第３の相をクランプするステップと、
前記電流サンプリング部が、前記クランプ形変流器から入力される前記電源線の前記第３の相の電流をサンプリングして第３の電流データを生成するとともに、前記電圧サンプリング部が、前記第１乃至第３のクリップからそれぞれ入力される前記電源線の第１乃至第３の相の電圧をサンプリングして第１乃至第３の別の電圧データを生成するステップと、
前記測定データ生成部が、前記電圧サンプリング部から入力される前記第１の別の電圧データの零点を基準点として定め、該定めた基準点から前記所定サイクル分の前記第３の電流データを取り出し、該取り出した第３の電流データから別の電流測定データを生成し、該生成した別の電流測定データを前記メモリに記録するステップと、
前記電力算出部が、前記メモリに記録した前記電流測定データ、前記他の電流測定データおよび前記別の電流測定データを加算して前記電源線に流れる電流の高調波成分を算出するステップと、
をさらに具備することを特徴とする、請求項７記載の３相電力測定方法。
【請求項９】
請求項４記載のハンディ電力計（３０）を用いて３相の電源線（１）の電力を算出する３相電力測定方法であって、
前記クランプ形変流器（３２）で前記電源線の第１の相をクランプするステップと、
前記受信部（４２）が、前記電圧計から送信されてくる前記第１乃至第３の電圧データおよび前記同期信号を受信するステップと、
前記電流サンプリング部（４１）が、前記受信部から入力される前記同期信号に同期した前記他のサンプリングパルスで前記クランプ形変流器から入力される前記電源線の前記第１の相の電流をサンプリングして第１の電流データを生成するステップと、
前記測定データ生成部（４３）が、前記受信部から入力される前記第１の電圧データの零点を基準点として定め、該定めた基準点から所定サイクル分の前記第１の電流データおよび前記第１乃至第３の電圧データのうちの電力算出に必要な相の電圧データを取り出し、該取り出した第１の電流データおよび電圧データから電流測定データおよび電圧測定データをそれぞれ生成し、該生成した電流測定データおよび電圧測定データをメモリ（４４）に記録するステップと、
前記クランプ形変流器を前記電源線の前記第１の相から外して該電源線の第２の相をクランプするステップと、
前記受信部が、前記電圧計から送信されてくる前記第１乃至第３の他の電圧データおよび前記同期信号を受信するステップと、
前記電流サンプリング部が、前記受信部から入力される前記同期信号に同期した前記他のサンプリングパルスで前記クランプ形変流器から入力される前記電源線の前記第２の相の電流をサンプリングして第２の電流データを生成するステップと、
前記測定データ生成部が、前記受信部から入力される前記第１の他の電圧データの零点を基準点として定め、該定めた基準点から前記所定サイクル分の前記第２の電流データおよび前記第１乃至第３の他の電圧データのうちの電力算出に必要な相の他の電圧データを取り出し、該取り出した第２の電流データおよび他の電圧データから他の電流測定データおよび他の電圧測定データをそれぞれ生成し、該生成した他の電流測定データおよび他の電圧測定データを前記メモリに記録するステップと、
前記電力算出部（４５）が、前記メモリに記録した前記電流測定データ、前記他の電流測定データ、前記電圧測定データ、前記他の電圧測定データに基づいて前記電源線の電力を算出するステップと、
を具備することを特徴とする、３相電力測定方法。
【請求項１０】
前記クランプ形変流器を前記電源線の前記第２の相から外して該電源線の第３の相をクランプするステップと、
前記受信部が、前記電圧計から送信されてくる前記第１乃至第３の別の電圧データおよび前記同期信号を受信するステップと、
前記電流サンプリング部が、前記受信部から入力される前記同期信号に同期した前記他のサンプリングパルスで前記クランプ形変流器から入力される前記電源線の前記第３の相の電流をサンプリングして第３の電流データを生成するステップと、
前記測定データ生成部が、前記受信部から入力される前記第１の別の電圧データの零点を基準点として定め、該定めた基準点から前記所定サイクル分の前記第３の電流データを取り出し、該取り出した第３の電流データから別の電流測定データを生成し、該生成した別の電流測定データを前記メモリに記録するステップと、
前記電力算出部が、前記メモリに記録した前記電流測定データ、前記他の電流測定データおよび前記別の電流測定データを加算して前記電源線に流れる電流の高調波成分を算出するステップと、
をさらに具備することを特徴とする、請求項９記載の３相電力測定方法。
【発明の詳細な説明】
【技術分野】
【０００１】
本発明は、ハンディ電力計および３相電力測定方法に関し、特に、３相の電源線の各相に流れる電流を１相ずつ検出するためのクランプ形変流器を用いてこの電源線の電力などを測定するのに好適なハンディ電力計および３相電力測定方法に関する。
【背景技術】
【０００２】
従来、工場などにおいて電気機器など（負荷）への消費電力を測定するための電力計として、下記の特許文献１には、電気機器の電源電圧検出手段を設ける代わりに電源電圧を電力計内に設定しておき、この設定しておいた電圧とクランプ式カレントトランスで検出した電流とから電力や積算電力を測定する簡易積算電力計が開示されている。
【０００３】
また、下記の特許文献２には、三相３線２電力計法により負荷の消費電力を求める場合に、２つのクランプセンサによって得られたＲ相およびＴ相の電流ベクトルを用いて求めた８つの電流ベクトル値と電圧検出手段によって算出された２つの電圧ベクトルとにより８種類の交流電力をそれぞれ算出して記憶手段に記憶させ、これらの保存データにより再演算を可能として正しい電力値を得るようにした電力測定装置が開示されている。
【０００４】
さらに、下記の特許文献３には、三相４線の交流電路に４つの鰐口クリップと３つのクランプセンサとを接続して、４つの鰐口クリップによって測定された電圧と３つのクランプセンサによって測定された電流とをフーリエ変換して取り出したそれらの基本波から各測定電圧および各測定電流のベクトルを演算する結線状態検出装置が開示されている。
【特許文献１】実用新案登録第３０６７５８２号公報
【特許文献２】特開２０００−２５８４８４号公報
【特許文献３】特開２０００−３３８１４７号公報
【発明の開示】
【発明が解決しようとする課題】
【０００５】
しかしながら、上記の特許文献１に開示された簡易積算電力計は、電流クランプのみで電力を測定することができるために単相電力の測定には有効であるかもしれないが、電圧波形や電圧と電流との位相が考慮されていないため、３相電力を正確に測定できないという問題がある。
【０００６】
また、上記の特許文献２に開示された電力測定装置および上記の特許文献３に開示された結線状態検出装置では、電圧を測定するためのクリップや電流を測定するためのクランプセンサを電力測定箇所ごとに毎回接続しなければならないため、電力測定作業が煩雑となり作業時間がかかるという問題がある。
【０００７】
本発明の目的は、電力測定作業の効率化が図れるハンディ電力計および３相電力測定方法を提供することにある。
【課題を解決するための手段】
【０００８】
本発明のハンディ電力計は、３相の電源線（１）の各相に流れる電流を１相ずつ検出するためのクランプ形変流器（１２；３２）と、前記電源線の所定の１相の電圧の零点を基準点として定め、該定めた基準点から所定サイクル分の前記クランプ形変流器によって検出された電流および前記電源線の電力算出に必要な相の電圧を取り出して、該取り出した電流および電圧に基づいて前記電源線の電力を算出する電力算出手段とを具備することを特徴とする。
ここで、前記電力算出手段によって算出された電力を表示するための表示手段（２６；３６）をさらに具備してもよい。
筐体（１１）に設けられた第１乃至第３の端子（１５1〜１５3）と第１乃至第３のリード線（１４1〜１４3）を介してそれぞれ接続された第１乃至第３のクリップ（１３1〜１３3）をさらに具備し、前記クランプ形変流器（１２）が前記筐体の上面に設けられており、前記電力算出手段が、前記クランプ形変流器から入力される電流をサンプリングして電流データを生成する電流サンプリング部（２１）と、前記第１乃至第３のクリップから入力される前記電源線の第１乃至第３の電圧をサンプリングして第１乃至第３の電圧データを生成する電圧サンプリング部（２２）と、該電圧サンプリング部から入力される前記第１の電圧データの零点を基準点として定め、該定めた基準点から前記所定サイクル分の前記電流データおよび前記第１乃至第３の電圧データのうち電力算出に必要な電圧データを取り出し、該取り出した電流データおよび電圧データから電流測定データおよび電圧測定データをそれぞれ生成する測定データ生成部（２３）と、該測定データ生成部によって生成された前記電流測定データおよび前記電圧測定データに基づいて前記電源線の電力を算出する電力算出部（２５）とを備えてもよい。
前記クランプ形変流器（３２）が筐体（３１）の上面に設けられており、前記電力算出手段が、電圧計から送信されてくるかつ前記電源線の第１乃至第３の相の電圧をサンプリングパルスでサンプリングして生成された第１乃至第３の電圧データおよび該サンプリングパルスに同期した同期信号を受信する受信部（４２）と、該受信部から入力される前記同期信号に同期した他のサンプリングパルスで前記クランプ形変流器から入力される電流をサンプリングして電流データを生成する電流サンプリング部（４１）と、前記受信部から入力される前記第１の電圧データの零点を基準点として定め、該定めた基準点から前記所定サイクル分の前記電流データおよび前記第１乃至第３の電圧データのうち電力算出に必要な電圧データを取り出して、該取り出した電流データおよび電圧データから電流測定データおよび電圧測定データをそれぞれ生成する測定データ生成部（４３）と、該測定データ生成部によって生成された前記電流測定データおよび前記電圧測定データに基づいて前記電源線の電力を算出する電力算出部（４５）とを備えてもよい。
前記電力算出部が、前記測定データ生成部によって生成された前記電流測定データに基づいて、前記電源線に流れる電流の高調波成分をさらに算出してもよい。
本発明の３相電力測定方法は、３相の電源線（１）の各相に流れる電流を１相ずつ検出するためのクランプ形変流器を具備するハンディ電力計を用いて該電源線の電力を算出する３相電力測定方法であって、前記クランプ形変流器で前記電源線の第１の相をクランプするステップと、前記ハンディ電力計が、前記電源線の所定の１相の電圧の零点を基準点として定め、該定めた基準点から所定サイクル分の前記クランプ形変流器によって検出された前記電源線の前記第１の相の電流および該電源線の３相の電圧のうち電力算出に必要な電圧を取り出し、該取り出した電流および電圧から電流測定データおよび電圧測定データをそれぞれ生成し、該生成した電流測定データおよび電圧測定データをメモリに記録するステップと、前記クランプ形変流器を前記電源線の前記第１の相から外して該電源線の第２の相をクランプするステップと、前記ハンディ電力計が、前記基準点から前記所定サイクル分の前記クランプ形変流器によって検出された前記電源線の前記第２の相の電流および該電源線の３相の電圧のうち電力算出に必要な電圧を取り出し、該取り出した電流および電圧から他の電流測定データおよび他の電圧測定データをそれぞれ生成し、該生成した他の電流測定データおよび他の電圧測定データを前記メモリに記録するステップと、
前記ハンディ電力計が、前記メモリに記録した前記電流測定データ、前記他の電流測定データ、前記電圧測定データ、前記他の電圧測定データに基づいて前記電源線の電力を算出するステップとを具備することを特徴とする。
また、本発明の３相電力測定方法は、本発明のハンディ電力計（１０）を用いて３相の電源線（１）の電力を算出する３相電力測定方法であって、前記第１乃至第３のクリップ（１３1〜１３3）で前記電源線の第１乃至第３の相の露出部分をそれぞれ挟むとともに、前記クランプ形変流器（１２）で該電源線の前記第１の相をクランプするステップ（Ｓ１１）と、前記電流サンプリング部（２１）が、前記クランプ形変流器から入力される前記電源線の前記第１の相の電流をサンプリングして第１の電流データを生成するとともに、前記電圧サンプリング部（２２）が、前記第１乃至第３のクリップから入力される前記電源線の第１乃至第３の相の電圧をサンプリングして第１乃至第３の電圧データを生成するステップと、前記測定データ生成部が、前記電圧サンプリング部から入力される前記第１の電圧データの零点を基準点として定め、該定めた基準点から所定サイクル分の前記第１の電流データおよび前記第１乃至第３の電圧データのうちの電力算出に必要な相の電圧データを取り出し、該取り出した第１の電流データおよび電圧データから電流測定データおよび電圧測定データをそれぞれ生成し、該生成した電流測定データおよび電圧測定データをメモリ（２４）に記録するステップ（Ｓ１２）と、前記クランプ形変流器を前記電源線の前記第１の相から外して該電源線の第２の相をクランプするステップ（Ｓ１３）と、前記電流サンプリング部が、前記クランプ形変流器から入力される前記電源線の前記第２の相の電流をサンプリングして第２の電流データを生成するとともに、前記電圧サンプリング部が、前記第１乃至第３のクリップから入力される前記電源線の第１乃至第３の相の電圧をサンプリングして第１乃至第３の他の電圧データを生成するステップと、前記測定データ生成部が、前記電圧サンプリング部から入力される前記第１の他の電圧データの零点を基準点として定め、該定めた基準点から前記所定サイクル分の前記第２の電流データおよび前記第１乃至第３の他の電圧データのうちの電力算出に必要な相の他の電圧データを前記電圧サンプリング部から取り出し、該取り出した第２の電流データおよび他の電圧データから他の電流測定データおよび他の電圧測定データをそれぞれ生成し、該生成した他の電流測定データおよび他の電圧測定データを前記メモリに記録するステップ（Ｓ１４）と、電力算出部（２５）が、前記メモリに記録した前記電流測定データ、前記他の電流測定データ、前記電圧測定データ、前記他の電圧測定データに基づいて前記電源線の電力を算出するステップ（Ｓ１５）とを具備することを特徴とする。
ここで、前記クランプ形変流器を前記電源線の前記第２の相から外して該電源線の第３の相をクランプするステップと、前記電流サンプリング部が、前記クランプ形変流器から入力される前記電源線の前記第３の相の電流をサンプリングして第３の電流データを生成するとともに、前記電圧サンプリング部が、前記第１乃至第３のクリップからそれぞれ入力される前記電源線の第１乃至第３の相の電圧をサンプリングして第１乃至第３の別の電圧データを生成するステップと、前記測定データ生成部が、前記電圧サンプリング部から入力される前記第１の別の電圧データの零点を基準点として定め、該定めた基準点から前記所定サイクル分の前記第３の電流データを取り出し、該取り出した第３の電流データから別の電流測定データを生成し、該生成した別の電流測定データを前記メモリに記録するステップと、前記電力算出部が、前記メモリに記録した前記電流測定データ、前記他の電流測定データおよび前記別の電流測定データを加算して前記電源線に流れる電流の高調波成分を算出するステップとをさらに具備してもよい。
さらに、本発明の３相電力測定方法は、本発明のハンディ電力計（３０）を用いて３相の電源線（１）の電力を算出する３相電力測定方法であって、前記クランプ形変流器（３２）で前記電源線の第１の相をクランプするステップと、前記受信部（４２）が、前記電圧計から送信されてくる前記第１乃至第３の電圧データおよび前記同期信号を受信するステップと、前記電流サンプリング部（４１）が、前記受信部から入力される前記同期信号に同期した前記他のサンプリングパルスで前記クランプ形変流器から入力される前記電源線の前記第１の相の電流をサンプリングして第１の電流データを生成するステップと、前記測定データ生成部（４３）が、前記受信部から入力される前記第１の電圧データの零点を基準点として定め、該定めた基準点から所定サイクル分の前記第１の電流データおよび前記第１乃至第３の電圧データのうちの電力算出に必要な相の電圧データを取り出し、該取り出した第１の電流データおよび電圧データから電流測定データおよび電圧測定データをそれぞれ生成し、該生成した電流測定データおよび電圧測定データをメモリ（４４）に記録するステップと、前記クランプ形変流器を前記電源線の前記第１の相から外して該電源線の第２の相をクランプするステップと、前記受信部が、前記電圧計から送信されてくる前記第１乃至第３の他の電圧データおよび前記同期信号を受信するステップと、前記電流サンプリング部が、前記受信部から入力される前記同期信号に同期した前記他のサンプリングパルスで前記クランプ形変流器から入力される前記電源線の前記第２の相の電流をサンプリングして第２の電流データを生成するステップと、前記測定データ生成部が、前記受信部から入力される前記第１の他の電圧データの零点を基準点として定め、該定めた基準点から前記所定サイクル分の前記第２の電流データおよび前記第１乃至第３の他の電圧データのうちの電力算出に必要な相の他の電圧データを取り出し、該取り出した第２の電流データおよび他の電圧データから他の電流測定データおよび他の電圧測定データをそれぞれ生成し、該生成した他の電流測定データおよび他の電圧測定データを前記メモリに記録するステップと、前記電力算出部（４５）が、前記メモリに記録した前記電流測定データ、前記他の電流測定データ、前記電圧測定データ、前記他の電圧測定データに基づいて前記電源線の電力を算出するステップとを具備することを特徴とする。
ここで、前記クランプ形変流器を前記電源線の前記第２の相から外して該電源線の第３の相をクランプするステップと、前記受信部が、前記電圧計から送信されてくる前記第１乃至第３の別の電圧データおよび前記同期信号を受信するステップと、前記電流サンプリング部が、前記受信部から入力される前記同期信号に同期した前記他のサンプリングパルスで前記クランプ形変流器から入力される前記電源線の前記第３の相の電流をサンプリングして第３の電流データを生成するステップと、前記測定データ生成部が、前記受信部から入力される前記第１の別の電圧データの零点を基準点として定め、該定めた基準点から前記所定サイクル分の前記第３の電流データを取り出し、該取り出した第３の電流データから別の電流測定データを生成し、該生成した別の電流測定データを前記メモリに記録するステップと、前記電力算出部が、前記メモリに記録した前記電流測定データ、前記他の電流測定データおよび前記別の電流測定データを加算して前記電源線に流れる電流の高調波成分を算出するステップとをさらに具備してもよい。
【発明の効果】
【０００９】
本発明のハンディ電力計および３相電力測定方法は、以下に示す効果を奏する。
（１）クランプ形変流器（電流クランプ）を電源線の各相に順番に接続するだけで電源線の電力などを測定することができるため、電力測定作業の効率化が図れる。
（２）電圧計から送信されてくる電圧データおよび同期信号を受信する機能を備えることにより、電圧測定可能な露出部分が電源線の測定箇所の近くになくても簡単に電力などを測定することができる。
【発明を実施するための最良の形態】
【００１０】
上記の目的を、電源線の所定の１相の電圧の零点を基準点として定め、この基準点から所定サイクル分のクランプ形変流器によって検出された電流および電源線の電力算出に必要な相の電圧を取り出して、この取り出した電流および電圧に基づいて電源線の電力を算出することにより実現した。
【実施例１】
【００１１】
以下、本発明のハンディ電力計および３相電力測定方法の実施例について、図面を参照して説明する。
本発明の第１の実施例によるハンディ電力計１０は、図１に示すように、筐体１１と、筐体１１の上面に設けられたクランプ形変流器１２と、筐体１１に設けられた第１乃至第３の端子１５1〜１５3と第１乃至第３のリード線１４1〜１４3を介してそれぞれ接続された第１乃至第３のクリップ１３1〜１３3と、筐体１１内に設けられた電流サンプリング部２１、電圧サンプリング部２２、測定データ生成部２３、メモリ２４および電力算出部２５と、筐体１１の前面に設けられた表示部２６およびスイッチ２７とを具備する。
【００１２】
ここで、クランプ形変流器１２は、図２（ａ），（ｂ）に示すように、電源線１（三相３線）のＲ相、Ｓ相およびＴ相のうち１相を貫通させて、電源線１のＲ相、Ｓ相およびＴ相にそれぞれ流れるＲ相電流、Ｓ相電流およびＴ相電流を検出するためのものである。
第１乃至第３のクリップ１３1〜１３3は、図２（ａ），（ｂ）に示すように、電源線１のＲ相、Ｓ相およびＴ相の露出部分をそれぞれ挟んで、電源線１のＲ相電圧、Ｓ相電圧およびＴ相電圧を検出するためのものである。
【００１３】
電流サンプリング部２１は、クランプ形変流器１２から入力されるアナログのＲ相電流、Ｓ相電流およびＴ相電流を所定のサンプリング周波数（たとえば、商用周波数６０Ｈｚの場合には５，７６０Ｈｚ（電気角３．７５°））でサンプリングしたのちにアナログ／ディジタル変換してディジタルの電流データ（以下、「Ｒ相電流データＩR、Ｓ相電流データＩSおよびＴ相電流データＩT」と称する。）を生成するためのものである。
電圧サンプリング部２２は、第１乃至第３のクリップ１３1〜１３3から第１乃至第３のリード線１４1〜１４3および第１乃至第３の端子１５1〜１５3を介して入力されるアナログのＲ相電圧、Ｓ相電圧およびＴ相電圧を上記のサンプリング周波数でサンプリングしたのちにアナログ／ディジタル変換してディジタルの電圧データ（以下、「Ｒ相電圧データＶR、Ｓ相電圧データＶSおよびＴ相電圧データＶT」と称する。）を生成するためのものである。
【００１４】
測定データ生成部２３は、スイッチ２７から入力される起動信号に応じて、３サイクル分のＲ相電流データＩR、Ｓ相電流データＩSおよびＴ相電流データＩTを電流サンプリング部２１から取り込むとともに３サイクル分のＲ相電圧データＶR、Ｓ相電圧データＶSおよびＴ相電圧データＶTを電圧サンプリング部２２から取り込んで、取り込んだＲ相電流データＩR、Ｓ相電流データＩS、Ｔ相電流データＩT、Ｒ相電圧データＶR、Ｓ相電圧データＶSおよびＴ相電圧データＶTをメモリ２４に記録する。
また、測定データ生成部２３は、取り込んだＲ相電圧データＶRの零点を基準点として定め、Ｒ相電流データＩR、Ｓ相電流データＩS、Ｔ相電流データＩT、Ｒ相電圧データＶR、Ｓ相電圧データＶSおよびＴ相電圧データＶTを基準点から２サイクル分だけ取り出してこれらの測定データを生成し、生成したこれらの測定データをメモリ２４に記録する。
さらに、測定データ生成部２３は、電力算出に必要な測定データをメモリ２４に記録すると、電力算出部２５に対して動作開始を指示する動作開始指示信号を出力する。
【００１５】
電力算出部２５は、測定データ生成部２３から入力される動作開始指示信号に応じて、Ｒ相電流データＩR、Ｓ相電流データＩS、Ｔ相電流データＩT、Ｒ相電圧データＶR、Ｓ相電圧データＶSおよびＴ相電圧データＶTの測定データをメモリ２４から読み出して、電源線１の電力などを算出する。
電力算出部２５によって算出された電力などは、表示部２６に表示される。
【００１６】
次に、ハンディ電力計１０を用いて電源線１の電力を２電力計法に基づいて算出する方法（本発明の第１の実施例による３相電力測定方法）について、図２乃至図４を参照して説明する。
作業員は、図２（ａ）に示すように、第１乃至第３のクリップ１３1〜１３3で電源線１のＲ相、Ｓ相およびＴ相の露出部分をそれぞれ挟むとともに、クランプ形変流器１２で電源線１のＲ相をクランプしてクランプ形変流器１２に電源線１のＲ相を貫通させたのち、スイッチ２７を押す（図４のステップＳ１１）。
これにより、電源線１のＲ相に流れるＲ相電流がクランプ形変流器１２によって検出されて、Ｒ相電流データＩRが電流サンプリング部２１によって生成される。また、電源線１のＲ相電圧、Ｓ相電圧およびＴ相電圧が電圧サンプリング部２２に入力されて、Ｒ相電圧データＶR、Ｓ相電圧データＶSおよびＴ相電圧データＶTが電圧サンプリング部２２によって生成される。さらに、スイッチ２７から起動信号が測定データ生成部２３に出力される。
【００１７】
測定データ生成部２３は、スイッチ２７から起動信号が入力されると、図３に時刻ｔ1から時刻ｔ2で示すように、３サイクル分のＲ相電流データＩRを電流サンプリング部２１から取り込むとともに３サイクル分のＲ相電圧データＶR、Ｓ相電圧データＶSおよびＴ相電圧データＶTを電圧サンプリング部２２から取り込んで、取り込んだＲ相電流データＩR、Ｒ相電圧データＶR、Ｓ相電圧データＶSおよびＴ相電圧データＶTをメモリ２４に記録する。
また、測定データ生成部２３は、メモリ２４に記録されたＲ相電圧データＶRの零点（図３（ａ）に示すようにＲ相電圧データＶRの振幅がプラスからマイナスに移行する側の振幅が“０”に最も近い点）を基準点として定め、図３（ｄ）に時刻ｔ1aから時刻ｔ1bで示すように、メモリ２４に記録されたＲ相電流データＩRのうち基準点から２サイクル分だけ取り出して、取り出したＲ相電流データＩRをＲ相電流データＩRの測定データとしてメモリ２４に記録する。また、測定データ生成部２３は、図３（ａ），（ｃ）に時刻ｔ1aから時刻ｔ1bで示すように、メモリ２４に記録されたＲ相電圧データＶRおよびＴ相電圧データＶTのうち基準点から２サイクル分だけ取り出して、取り出したＲ相電圧データＶRおよびＴ相電圧データＶTをＲ相電圧データＶRおよびＴ相電圧データＶTの測定データとしてメモリ２４に記録する（以上、ステップＳ１２）。
【００１８】
作業員は、スイッチ２７を押したのち１０秒程度ほど経過すると、ハンディ電力計１０のクランプ形変流器１２を電源線１のＲ相から外し、図２（ｂ）に示すようにクランプ形変流器１２で電源線１のＳ相をクランプして電源線１のＳ相をクランプ形変流器１２に貫通させたのち、スイッチ２７を押す（ステップＳ１３）。
これにより、電源線１のＳ相に流れるＳ相電流がクランプ形変流器１２によって検出されて、Ｓ相電流データＩSが電流サンプリング部２１によって生成される。また、電源線１のＲ相電圧、Ｓ相電圧およびＴ相電圧が電圧サンプリング部２２に入力されて、Ｒ相電圧データＶR、Ｓ相電圧データＶSおよびＴ相電圧データＶTが電圧サンプリング部２２によって生成される。また、スイッチ２７から起動信号が測定データ生成部２３に出力される。
【００１９】
測定データ生成部２３は、スイッチ２７から起動信号が入力されると、図３に時刻ｔ3から時刻ｔ4で示すように、３サイクル分のＳ相電流データＩSを電流サンプリング部２１から取り込むとともに３サイクル分のＲ相電圧データＶR、Ｓ相電圧データＶSおよびＴ相電圧データＶTを電圧サンプリング部２２から取り込んで、取り込んだＳ相電流データＩS、Ｒ相電圧データＶR、Ｓ相電圧データＶSおよびＴ相電圧データＶTをメモリ２４に記録する。
また、測定データ生成部２３は、取り込んだＲ相電圧データＶRの零点を基準点として定め、図３（ｅ）に時刻ｔ3aから時刻ｔ3bで示すように、メモリ２４に記録されたＳ相電流データＩSのうち基準点から２サイクル分だけ取り出して、取り出したＳ相電流データＩSをＳ相電流データＩSの測定データとしてメモリ２４に記録する。また、測定データ生成部２３は、図３（ｂ），（ｃ）に時刻ｔ3aから時刻ｔ3bで示すように、メモリ２４に記録されたＲ相電圧データＶRおよびＴ相電圧データＶTのうち基準点から２サイクル分だけ取り出して、取り出したＲ相電圧データＶRおよびＴ相電圧データＶTをＲ相電圧データＶRおよびＴ相電圧データＶTの測定データとしてメモリ２４に記録する（以上、ステップＳ１４）。
その後、測定データ生成部２３は、電力算出部２５に対して動作開始を指示する動作開始指示信号を出力する。
【００２０】
作業員は、スイッチ２７を押したのち１０秒程度ほど経過すると、ハンディ電力計１０のクランプ形変流器１２を電源線１のＳ相から外す。
【００２１】
また、電力算出部２５は、測定データ生成部２３から動作開始指示信号が入力されると、メモリ２４からＲ相電圧データＶRおよびＴ相電圧データＶTの測定データを読み出してＲ相−Ｔ相間の線間電圧ＶRTのベクトルデータを生成するとともに、メモリ２４からＳ相電圧データＶSおよびＴ相電圧データＶTの測定データを読み出してＳ相−Ｔ相間の線間電圧ＶSTのベクトルデータを生成する。
その後、電力算出部２５は、メモリ２４からＲ相電流データＩRおよびＳ相電流データＩSの測定データを読み出してＲ相電流データＩRおよびＳ相電流データＩSのベクトルデータを生成したのち、次式に示すベクトル演算を行って電源線１の２サイクル分の電力Ｐを算出することにより、電源線１の電力を算出する（以上、ステップＳ１５）。
Ｐ＝ＶRT×ＩR＋ＶST×ＩS
このとき、Ｒ相−Ｔ相間の線間電圧ＶRTのベクトルデータを生成するのに使用されるＲ相電圧データＶRおよびＴ相電圧データＶTの測定データとＲ相電流データＩRのベクトルデータを生成するのに使用されるＲ相電流データＩRの測定データは時刻ｔ1aから時刻ｔ1ｂに取り込まれたデータであるのに対して、Ｓ相−Ｔ相間の線間電圧ＶSTのベクトルデータを生成するのに使用されるＳ相電圧データＶSおよびＴ相電圧データＶTの測定データとＳ相電流データＩSのベクトルデータを生成するのに使用されるＳ相電流データＩSの測定データは時刻ｔ3aから時刻ｔ3ｂに取り込まれたデータであり、これらの測定データが取り込まれた時刻が異なるが、これらの測定データはすべて、Ｒ相電圧データＶRの零点である基準点から２サイクル分のデータであるため、負荷２（図２参照）の消費電力変動が激しくない限り、電源線１の電力を正確に算出することができる。
【００２２】
電力算出部２５は、算出した電源線１の電力を表示部２６に表示する（ステップＳ１６）。
【００２３】
なお、ハンディ電力計１０を用いて電源線１の電力のみを算出したが、以下のようにすれば、電源線１に流れる電流の高調波成分を算出することもできる。
【００２４】
作業員は、上述したステップＳ１３でスイッチ２７を押したのち１０秒程度ほど経過すると、ハンディ電力計１０のクランプ形変流器１２を電源線１のＳ相から外し、クランプ形変流器１２で電源線１のＴ相をクランプして電源線１のＴ相をクランプ形変流器１２に貫通させたのち、スイッチ２７を押す。
これにより、電源線１のＴ相に流れるＴ相電流がクランプ形変流器１２によって検出されて、Ｔ相電流データＩTが電流サンプリング部２１によって生成される。また、電源線１のＲ相電圧、Ｓ相電圧およびＴ相電圧が電圧サンプリング部２２に入力されて、Ｒ相電圧データＶR、Ｓ相電圧データＶSおよびＴ相電圧データＶTが電圧サンプリング部２２によって生成される。また、スイッチ２７から起動信号が測定データ生成部２３に出力される。
【００２５】
測定データ生成部２３は、スイッチ２７から起動信号が入力されると、図５に時刻ｔ5から時刻ｔ6で示すように、３サイクル分のＴ相電流データＩTを電流サンプリング部２１から取り込むとともに３サイクル分のＲ相電圧データＶR、Ｓ相電圧データＶSおよびＴ相電圧データＶTを電圧サンプリング部２２から取り込んで、取り込んだＳ相電流データＩS、Ｒ相電圧データＶR、Ｓ相電圧データＶSおよびＴ相電圧データＶTをメモリ２４に記録する。
また、測定データ生成部２３は、取り込んだＲ相電圧データＶRの零点を基準点として定め、図５（ｆ）に時刻ｔ5aから時刻ｔ5bで示すように、メモリ２４に記録されたＴ相電流データＩTのうち基準点から２サイクル分だけ取り出して、取り出したＴ相電流データＩTをＴ相電流データＩTの測定データとしてメモリ２４に記録する。その後、測定データ生成部２３は、電力算出部２５に対して動作開始を指示する動作開始指示信号を出力する。
【００２６】
電力算出部２５は、測定データ生成部２３から動作開始指示信号が入力されると、メモリ２４からＲ相電流データＩR、Ｓ相電流データＩSおよびＴ相電流データＩTの測定データを基準点から１サイクル分だけ読み出したのち、読み出したＲ相電流データＩR、Ｓ相電流データＩSおよびＴ相電流データＩTの測定データを加算したのちに高速フーリエ変換処理して、電源線１に流れる電流の高調波成分を算出する（図６参照）。
このとき、Ｒ相電流データＩRの測定データは時刻ｔ1aから時刻ｔ1ｂに取り込まれたデータであり、Ｓ相電流データＩSの測定データは時刻ｔ3aから時刻ｔ3ｂに取り込まれたデータであり、Ｔ相電流データＩTの測定データは時刻ｔ5aから時刻ｔ5ｂに取り込まれたデータであり、これらの測定データが取り込まれた時刻が異なるが、これらの測定データはすべて、Ｒ相電圧データＶRの零点である基準点から１サイクル分のデータであるため、負荷２（図２参照）の消費電力変動が激しくない限り、電源線１に流れる電流の高調波成分を正確に算出することができる。
これにより、電源線１に流れる電流の基本波レベルおよび高次高調波レベル（２次高調波レベル、３次高調波レベルなど）を求めて調波スペクトルの特徴を求めたり、総合歪み率を求めて各測定ポイントの許容基準値と比べて各測定ポイントにおける高調波レベルの評価を行ったりすることもできる。
【実施例２】
【００２７】
次に、本発明の第２の実施例によるハンディ電力計について、図７を参照して説明する。
本実施例によるハンディ電力計３０は、電源線１に電圧測定可能な露出部分がない場合に対応するために、図１に示した第１乃至第３のクリップ１３1〜１３3の代わりに、無線送信機能を備えた電圧計（不図示）と組み合わせて使用するものである。
そのため、ハンディ電力計３０は、図７に示すように、筐体３１と、筐体３１の上面に設けられたクランプ形変流器３２と、筐体３１内に設けられた電流サンプリング部４１、受信部４２、測定データ生成部４３、メモリ４４および電力算出部４５、筐体３１の前面に設けられた表示部４６およびスイッチ４７とを具備する。
【００２８】
ここで、クランプ形変流器３２は、図１に示したクランプ形変流器１２と同様に、電源線１のＲ相、Ｓ相およびＴ相のうち１相を貫通させて、電源線１（三相３線）のＲ相、Ｓ相およびＴ相にそれぞれ流れるＲ相電流、Ｓ相電流およびＴ相電流を検出するためのものである。
【００２９】
受信部４２は、電圧計から無線で送信されてくる電源線１のＲ相電圧データＶR、Ｓ相電圧データＶS、Ｔ相電圧データＶTおよび同期信号を受信する。なお、Ｒ相電圧データＶR、Ｓ相電圧データＶSおよびＴ相電圧データＶTは、電圧計において同期信号に同期したサンプリングパルスでサンプリングしてアナログ／ディジタル変換することにより生成されたものである。
受信部３１は、電圧計から受信したＲ相電圧データＶR、Ｓ相電圧データＶSおよびＴ相電圧データＶTを測定データ生成部４３に出力するとともに、電圧計から受信した同期信号を電流サンプリング部４１に出力する。
【００３０】
電流サンプリング部４１は、受信部３１から入力される同期信号に同期したサンプリングパルスでクランプ形変流器１２から入力されるアナログのＲ相電流、Ｓ相電流およびＴ相電流をサンプリングしてアナログ／ディジタル変換することにより、Ｒ相電流データＩR、Ｓ相電流データＩSおよびＴ相電流データＩTを生成する。
これにより、電圧計で生成されるＲ相電圧データＶR、Ｓ相電圧データＶSおよびＴ相電圧データＶTと電流サンプリング部４１で生成されるＲ相電流データＩR、Ｓ相電流データＩSおよびＴ相電流データＩTとのタイミング合せを行うことができる。
【００３１】
測定データ生成部４３は、スイッチ４７から入力される起動信号に応じて、３サイクル分のＲ相電流データＩR、Ｓ相電流データＩSおよびＴ相電流データＩTを電流サンプリング部４１から取り込むとともに３サイクル分のＲ相電圧データＶR、Ｓ相電圧データＶSおよびＴ相電圧データＶTを受信部４２から取り込んで、取り込んだＲ相電流データＩR、Ｓ相電流データＩS、Ｔ相電流データＩT、Ｒ相電圧データＶR、Ｓ相電圧データＶSおよびＴ相電圧データＶTをメモリ４４に記録する。
また、測定データ生成部４３は、取り込んだＲ相電圧データＶRの零点を基準点として定め、Ｒ相電流データＩR、Ｓ相電流データＩS、Ｔ相電流データＩT、Ｒ相電圧データＶR、Ｓ相電圧データＶSおよびＴ相電圧データＶTを基準点から２サイクル分だけ取り出してこれらの測定データを生成し、生成したこれらの測定データをメモリ４４に記録する。
さらに、測定データ生成部４３は、電力算出に必要な測定データをメモリ４４に記録すると、電力算出部４５に対して動作開始を指示する動作開始指示信号を出力する。
【００３２】
電力算出部４５は、測定データ生成部４３から入力される動作開始指示信号に応じて、Ｒ相電流データＩR、Ｓ相電流データＩS、Ｔ相電流データＩT、Ｒ相電圧データＶR、Ｓ相電圧データＶSおよびＴ相電圧データＶTの測定データをメモリ４４から読み出して、電源線１の電力などを算出する。
電力算出部４５によって算出された電力などは、表示部４６に表示される。
【００３３】
このように構成されたハンディ電力計３０を用いることにより、たとえば１本の母線から複数本の電源線が分岐している場合には、母線のＲ相電圧データＶR、Ｓ相電圧データＶSおよびＴ相電圧データＶTを電圧計からハンディ電力計３０に無線で送信することにより、作業員は、１本の電源線の電力などの測定が終了すると、ハンディ電力計３０のクランプ形変流器３２を他の電源線のＲ相にクランプするだけで他の電源線の電力測定作業を開始することができるので、電力測定作業の効率化を図ることができる。
【００３４】
次に、ハンディ電力計３０を用いて電源線１の電力を２電力計法に基づいて算出する方法について、図８のフローチャートを参照して説明する。
作業員は、クランプ形変流器３２で電源線１のＲ相をクランプしてクランプ形変流器３２に電源線１のＲ相を貫通させたのち、スイッチ４７を押す。
また、受信部４２が、電圧計から無線で送信されてくるＲ相電圧データＶR、Ｓ相電圧データＶS、Ｔ相電圧データＶTおよび同期信号を受信する（以上、ステップＳ２１）。
これにより、電源線１のＲ相に流れるＲ相電流がクランプ形変流器３２によって検出されて、Ｒ相電流データＩRが電流サンプリング部４１によって生成される。このとき、電流サンプリング部４１は、受信部４２から入力される同期信号に同期したサンプリングパルスでＲ相電流をサンプリングする。
【００３５】
測定データ生成部４３は、スイッチ４７から起動信号が入力されると、３サイクル分のＲ相電流データＩRを電流サンプリング部４１から取り込むとともに３サイクル分のＲ相電圧データＶR、Ｓ相電圧データＶSおよびＴ相電圧データＶTを受信部４２から取り込んで、取り込んだＲ相電流データＩR、Ｒ相電圧データＶR、Ｓ相電圧データＶSおよびＴ相電圧データＶTをメモリ４４に記録する。
また、測定データ生成部４３は、メモリ４４に記録されたＲ相電圧データＶRの零点を基準点として定め、メモリ４４に記録されたＲ相電流データＩRのうち基準点から２サイクル分だけ取り出して、取り出したＲ相電流データＩRをＲ相電流データＩRの測定データとしてメモリ４４に記録する。また、測定データ生成部４３は、メモリ４４に記録されたＲ相電圧データＶRおよびＴ相電圧データＶTのうち基準点から２サイクル分だけ取り出して、取り出したＲ相電圧データＶRおよびＴ相電圧データＶTをＲ相電圧データＶRおよびＴ相電圧データＶTの測定データとしてメモリ４４に記録する（以上、ステップＳ２２）。
【００３６】
作業員は、スイッチ４７を押したのち１０秒程度ほど経過すると、ハンディ電力計３０のクランプ形変流器３２を電源線１のＲ相から外し、クランプ形変流器３２で電源線１のＳ相をクランプして電源線１のＳ相をクランプ形変流器３２に貫通させたのち、スイッチ４７を押す。
また、受信部４２が、電圧計から無線で送信されてくるＲ相電圧データＶR、Ｓ相電圧データＶS、Ｔ相電圧データＶTおよび同期信号を受信する（以上、ステップＳ２３）。
これにより、電源線１のＳ相に流れるＳ相電流がクランプ形変流器３２によって検出されて、Ｓ相電流データＩSが電流サンプリング部４１によって生成される。このとき、電流サンプリング部４１は、受信部４２から入力される同期信号に同期したサンプリングパルスでＳ相電流をサンプリングする。
【００３７】
測定データ生成部４３は、スイッチ４７から起動信号が入力されると、３サイクル分のＳ相電流データＩSを電流サンプリング部４１から取り込むとともに３サイクル分のＲ相電圧データＶR、Ｓ相電圧データＶSおよびＴ相電圧データＶTを受信部４２から取り込んで、取り込んだＳ相電流データＩS、Ｒ相電圧データＶR、Ｓ相電圧データＶSおよびＴ相電圧データＶTをメモリ４４に記録する。
また、測定データ生成部４３は、取り込んだＲ相電圧データＶRの零点を基準点として定め、メモリ４４に記録されたＳ相電流データＩSのうち基準点から２サイクル分だけ取り出して、取り出したＳ相電流データＩSをＳ相電流データＩSの測定データとしてメモリ４４に記録する。また、測定データ生成部４３は、メモリ４４に記録されたＲ相電圧データＶRおよびＴ相電圧データＶTのうち基準点から２サイクル分だけ取り出して、取り出したＲ相電圧データＶRおよびＴ相電圧データＶTをＲ相電圧データＶRおよびＴ相電圧データＶTの測定データとしてメモリ４４に記録する（以上、ステップＳ２４）。
その後、測定データ生成部４３は、電力算出部４５に対して動作開始を指示する動作開始指示信号を出力する。
【００３８】
作業員は、スイッチ４７を押したのち１０秒程度ほど経過すると、ハンディ電力計３０のクランプ形変流器３２を電源線１のＳ相から外す。
【００３９】
また、電力算出部４５は、測定データ生成部４３から動作開始指示信号が入力されると、メモリ４４からＲ相電圧データＶRおよびＴ相電圧データＶTの測定データを読み出してＲ相−Ｔ相間の線間電圧ＶRTのベクトルデータを生成するとともに、メモリ４４からＳ相電圧データＶSおよびＴ相電圧データＶTの測定データを読み出してＳ相−Ｔ相間の線間電圧ＶSTのベクトルデータを生成する。
その後、電力算出部４５は、メモリ４４からＲ相電流データＩRおよびＳ相電流データＩSの測定データを読み出してＲ相電流データＩRおよびＳ相電流データＩSのベクトルデータを生成したのち、次式に示すベクトル演算を行って電源線１の２サイクル分の電力Ｐを算出することにより、電源線１の電力を算出する（以上、ステップＳ２５）。
Ｐ＝ＶRT×ＩR＋ＶST×ＩS
【００４０】
電力算出部４５は、算出した電源線１の電力を表示部４６に表示する（ステップＳ２６）。
【００４１】
なお、ハンディ電力計３０を用いて電源線１の電力のみを算出したが、以下のようにすれば、電源線１に流れる電流の高調波成分を算出することもできる。
【００４２】
作業員は、上述したステップＳ２３でスイッチ４７を押したのち１０秒程度ほど経過すると、ハンディ電力計３０のクランプ形変流器３２を電源線１のＳ相から外し、クランプ形変流器３２で電源線１のＴ相をクランプして電源線１のＴ相をクランプ形変流器３２に貫通させたのち、スイッチ４７を押す。
また、受信部４２が、電圧計から無線で送信されてくるＲ相電圧データＶR、Ｓ相電圧データＶS、Ｔ相電圧データＶTおよび同期信号を受信する。
これにより、電源線１のＴ相に流れるＴ相電流がクランプ形変流器３２によって検出されて、Ｔ相電流データＩTが電流サンプリング部４１によって生成される。
【００４３】
測定データ生成部４３は、スイッチ４７から起動信号が入力されると、３サイクル分のＴ相電流データＩTを電流サンプリング部４１から取り込むとともに３サイクル分のＲ相電圧データＶR、Ｓ相電圧データＶSおよびＴ相電圧データＶTを受信部４２から取り込んで、取り込んだＳ相電流データＩS、Ｒ相電圧データＶR、Ｓ相電圧データＶSおよびＴ相電圧データＶTをメモリ４４に記録する。
また、測定データ生成部４３は、取り込んだＲ相電圧データＶRの零点を基準点として定め、メモリ４４に記録されたＴ相電流データＩTのうち基準点から２サイクル分だけ取り出して、取り出したＴ相電流データＩTをＴ相電流データＩTの測定データとしてメモリ４４に記録する。その後、測定データ生成部４３は、電力算出部４５に対して動作開始を指示する動作開始指示信号を出力する。
【００４４】
電力算出部４５は、測定データ生成部４３から動作開始指示信号が入力されると、メモリ４４からＲ相電流データＩR、Ｓ相電流データＩSおよびＴ相電流データＩTの測定データを基準点から１サイクル分だけ読み出したのち、読み出したＲ相電流データＩR、Ｓ相電流データＩSおよびＴ相電流データＩTの測定データを加算したのちに高速フーリエ変換処理して、電源線１に流れる電流の高調波成分を算出する。
【００４５】
以上の説明では、Ｒ相電圧データＶRなどを３サイクル分だけ取り出して基準点から２サイクル分のＲ相電流データＩRなどの測定データを生成したが、電源線１のＲ相電圧、Ｓ相電圧およびＴ相電圧の位相差は１２０°であり、また、電源線１に流れるＲ相電流、Ｓ相電流およびＴ相電流の位相差も１２０°であるため、Ｒ相電圧データＶRなどを少なくとも２サイクル分だけ取り出せば、基準点から１．５サイクル分のＲ相電流データＩRなどの測定データを生成することができ、電源線１の電力を正確に測定することができる。
また、たとえばフリッカ負荷などの影響を避けるために、数サイクル分のＲ相電圧データＶRなどの測定データを生成して、電力算出部２５，４５が数サイクル分のＲ相電圧データＶRなどの測定データの平均値を求めて、求めたＲ相電圧データＶRなどの測定データの平均値から電源線１の電力などを算出してもよい。
【００４６】
また、２電力計法に基づいて電源線１の電力を測定したが、電源線１に中線がある場合には、中線に対する電源線１のＲ相電圧、Ｓ相電圧およびＴ相電圧を検出することにより、同様にして電源線１の電力を測定することができる。
【００４７】
さらに、図３（ａ）に示したようにＲ相電圧データＶRの振幅がプラスからマイナスに移行する側の振幅が“０”に最も近い点をＲ相電圧データＶRの零点としたが、Ｒ相電圧データＶRの振幅がマイナスからプラスに移行する側の振幅が“０”に最も近い点をＲ相電圧データＶRの零点としてもよい。
【図面の簡単な説明】
【００４８】
【図１】本発明の第１の実施例によるハンディ電力計１０の構成を示す図である。
【図２】図１に示したクランプ形変流器１２および第１乃至第３のクリップ１３1〜１３3の使用方法について説明するための図である。
【図３】図１に示したハンディ電力計１０を用いて電源線１の電力を２電力計法に基づいて算出する方法について説明するためのタイムチャートである。
【図４】図１に示したハンディ電力計１０を用いて電源線１の電力を２電力計法に基づいて算出する方法について説明するためのフローチャートである。
【図５】図１に示したハンディ電力計１０を用いて電源線１に流れる電流の高調波成分を算出する方法について説明するためのタイムチャートである。
【図６】図１に示したハンディ電力計１０を用いて電源線１に流れる電流の高調波成分を算出する方法について説明するための図である。
【図７】本発明の第２の実施例によるハンディ電力計３０の構成を示す図である。
【図８】図７に示したハンディ電力計３０を用いて電源線１の電力を２電力計法に基づいて算出する方法について説明するためのフローチャートである。
【符号の説明】
【００４９】
１  電源線
２  負荷
１０，３０  ハンディ電力計
１１，３１  筐体
１２，３２  クランプ形変流器
１３1〜１３3  第１乃至第３のクリップ
１４1〜１４3  第１乃至第３のリード線
１５1〜１５3  第１乃至第３の端子
２１，４１  電流サンプリング部
２２  電圧サンプリング部
２３，４３  測定データ生成部
２４，４４  メモリ
２５，４５  電力算出部
２６，４６  表示部
２７，４７  スイッチ
４２  受信部
ＩR，ＩS，ＩT  Ｒ相、Ｓ相およびＴ相電流データ
ＶR，ＶS，ＶT  Ｒ相、Ｓ相およびＴ相電圧データ
ｔ1，ｔ1a，ｔ1b，ｔ2，ｔ3，ｔ3a，ｔ3b，ｔ4，ｔ5，ｔ5a，ｔ5b，ｔ6  時刻
Ｓ１１〜Ｓ１６，Ｓ２１〜Ｓ２６  ステップ
【図１】
2009008580.tif 000003
【図２】
2009008580.tif 000004
【図３】
2009008580.tif 000005
【図４】
2009008580.tif 000006
【図５】
2009008580.tif 000007
【図６】
2009008580.tif 000008
【図７】
2009008580.tif 000009
【図８】
2009008580.tif 000010